(57)【要約】【課題】雑巾付き真空掃除機のブラシの内部に別の電源供給手段及びモータなどを設けず、吸込まれる外気の運動エネルギーを用いて濡れ雑巾付き回転体を回転させることにより軽くて小さいかつ安価な真空掃除機のブラシを提供する。【解決手段】本発明の真空掃除機のブラシは、ブラシケースと、該ブラシケースの内部に設けられ吸込まれる外気の運動エネルギーを用いて駆動される駆動手段と、タービン軸の両側に連結設置され伝達された回転力を直角に伝える動力伝達ギアと、動力伝達ギアと連結され回転する雑巾付き回転体とを備える。【選択図】　　　図２
2004008785.tif 000002
【特許請求の範囲】
【請求項１】
ブラシケースと、
該ブラシケースの内部に設けられ吸込まれる外気の運動エネルギーを用いて駆動される駆動手段と、
該駆動手段の両側に連結設置され前記駆動手段から伝達された回転力を直角に伝達する動力伝達ギアと、
該動力伝達ギアと連結され回転する濡れ雑巾付き回転体とを備えることを特徴とする雑巾付き真空掃除機のブラシ。
【請求項２】
前記駆動手段はタービンで構成することを特徴とする請求項１に記載の雑巾付き真空掃除機のブラシ。
【請求項３】
ブラシの内部に吸込まれる吸込空気をタービン側に集中的に誘導するための空気誘導体をさらに備えることを特徴とする請求項２に記載の雑巾付き真空掃除機のブラシ。
【発明の詳細な説明】
【０００１】
【発明の属する技術分野】
本発明は真空掃除機に係り、さらに詳しくは濡れ雑巾付き真空掃除機において追加的な動力源を使用せず吸込まれる空気で駆動されるタービンを用いて雑巾付き回転体を回転させる真空掃除機のブラシに関する。
【０００２】
【従来の技術】
一般に、真空掃除機はファンモータの回転力を用いて埃など異物が含有された外気を吸込んでフィルタを通過させることにより、床面の埃など異物除去機能を果たす器具である。
【０００３】
図１のように、前述したような真空掃除機は、一般にファンモータと集塵室（図示せず）、フィルタ（図示せず）が内部に含まれている胴体部３０と、胴体部３０と連結されているホース３２とから構成されている。また、ホース３２の先端には電源をオンオフできる駆動スイッチが含まれたハンドル部３４とこれより延びてブラシ３８と連結される延長管３６で構成されている。
【０００４】
このような真空掃除機の作動は胴体部３０のファンモータが駆動されれば集塵室に負圧が発生し、よって埃などの異物が含まれた外気がブラシ３８吸込口を介してブラシ内部に流入された後延長管３６とハンドル部３４、ホース３２を介して胴体３０の集塵室に流入される。流入された外気は埃フィルタを通過しつつ異物が除去された後胴体３０の後方に存する排気グリル（図示せず）を介して排出される。
【０００５】
このような真空掃除機は床に積もった埃や異物は除去できるが、床に染み付いた垢染みや染みは除去できなかった。
【０００６】
それで、最近は埃除去と同時に染みや垢染みを除去するために濡れ雑巾付き真空掃除機が開発されたこともある。このような真空掃除機は別の電源が連結された駆動モータを使用して濡れ雑巾付き回転体を回転させ垢染みや染みを除去する。別の電源とモータを使用するため、ブラシケースの内部体積が極めて大きく重たくてユーザが持ち歩きながら掃除し難かった。
【０００７】
また、このような真空掃除機のブラシは高価で部品故障の恐れが多く、動力伝達トルクが低い短所があった。
【０００８】
【発明が解決しようとする課題】
本発明は前述した従来の技術の短所を解決するための案出されたもので、その目的は雑巾付き真空掃除機のブラシ内部に別の電源供給手段及びモータなどを設けず、吸込まれる外気の運動エネルギーを用いて濡れ雑巾付き回転体を回転させないことにより軽くて小さく安価な真空掃除機のブラシを提供するところにある。
【０００９】
【課題を解決するための手段】
前述した目的を達成するため、本発明の真空掃除機のブラシはブラシケースと、前記ブラシケースの内部に設けられ吸込まれる外気の運動エネルギーを用いて駆動される駆動手段と、該駆動手段の両側に連結設置され前記駆動手段から伝えられた回転力を直角に伝える動力伝達ギアと、該動力伝達ギアと連結され回転する濡れ雑巾付き回転体を含むことを特徴とする。
【００１０】
ここで、ブラシケースは上部ケースと下部ケースとからなり、動力伝達ギアはウォームとウォームホイールで構成することが望ましい。
【００１１】
前記ブラシケースの内部に設けられ吸込まれる外気の運動エネルギーを用いて駆動される駆動手段をタービンで構成することが望ましい。
【００１２】
前述したようになされた本発明によれば、真空掃除機のブラシ内部に雑巾付き回転体を回転するための別の電源供給手段及びモータのような動力駆動手段などを備えず、外気の流れによる運動エネルギーを用いてタービンを駆動することにより、真空掃除機の体積が小さくなり安価になるだけではなく、軽くて部品故障が遥かに減る。また、別の電源を供給しないため雑巾付き真空掃除機のエネルギー効率を高められる。
【００１３】
【発明の実施の形態】
以下、添付した図面に基づき本発明のさらに望ましい実施例を詳述する。
【００１４】
図２は本発明の分解斜視図である。示した通り、本発明の雑巾付き真空掃除機のブラシは、上部ケース１８と下部ブラシケース２０があり、その内部の支持台２６にタービン１０が設けられている。また、タービン軸１３の両側にそれぞれ連結された一対のウォームギア１２が直角に動力を伝達するために一対のウォームホイール１４と噛み合っている。ウォームホイール１４の底面には中空軸１６が連結され下部ブラシケース２０上に形成された一対のブッシュ２８を通して下部ブラシケース２０の下端に存する雑巾２２が付着された一対の回転体２９と連結される。また、タービン１０の前方には外気をタービンに誘導する空気誘導体１５が設けられている。
【００１５】
作動関係を説明すれば、下部ブラシケース２０の前半部に存する吸気口２４を介して流入される外気が空気誘導体１５を通過しつつ集中されタービン１０を回転させる。よってタービンの両側でタービン軸１３と連結された一対のウォームギア１２が回転し、該回転力はウォームギア１２と噛み合っている一対のウォームホイール１４に伝えられ直角方向に伝えられる。下部ブラシケース２０の下端に置かれる雑巾２２が付着された回転体２９はウォームホイール１４の下部に結合されている中空軸１６と結合され回転し、床の染みや垢染みを除去する。
【００１６】
図３は本発明の平面図である。図３に示した矢印は空気の流れを示す。すなわち、吸気口２４に吸込まれた外気は図に示した矢印のように空気誘導体１５を通過しつつ集中されタービン１０を回転させ、真空掃除機の延長管３６から抜け出る。このような空気流れを誘導することにより一層大きい運動エネルギーをタービンの回転エネルギーに変換させうる。
【００１７】
図４は本発明の動力伝達ギアを拡大した斜視図である。図４に示した通り、外気がタービン翼１１にぶつかってタービン１０を回転させればタービン軸１３と連結されたウォームギア１２が回転し、これと噛み合っているウォームホイール１４を回転させて下向きに回転力を伝達する。
【００１８】
図５は動力伝達ギアと回転体との連結関係を示す分解斜視図である。ウォームホイール１４の中空軸１６は回転体２９の上部に存する連結管２７の内部に挿入設置される。それで、ウォームギア１２から動力を伝達されるウォームホイール１４が回転すれば、ウォームホイール１４の下端に連結された中空軸１６が回転され、よって前記中空軸と結合された回転体２９の連結管２７が回転され、床面に固着された異物や垢染みなどを除去する。
【００１９】
本発明は前述した特定の実施形態に限らず、本発明の要旨を変更しない範囲内で色々の多様な変化が可能である。
【００２０】
すなわち、前述したような動力伝達手段をウォーム及びウォームホイールだけでなくベベルギアを使用することもできる。
【図面の簡単な説明】
【図１】一般の真空掃除機の斜視図である。
【図２】本発明の真空掃除機のブラシを示す分解斜視図である。
【図３】本発明の真空掃除機のブラシを示す平面図である。
【図４】本発明の動力伝達ギアを示す部分斜視図である。
【図５】本発明の動力伝達ギアと回転体との連結を示す分解斜視図である。
【符号の説明】
１０　タービン
１１　タービン翼
１２　ウォームギア
１３　タービン軸
１４　ウォームホイール
１５　空気誘導体
１６　中空軸
１８　上部ケース
２０　下部ブラシケース
２２　雑巾
２４　吸気口
２６　支持台
２７　連結管
２８　ブッシュ
２９　回転体
３６　延長管
【図１】
2004008785.tif 000003
【図２】
2004008785.tif 000004
【図３】
2004008785.tif 000005
【図４】
2004008785.tif 000006
【図５】
2004008785.tif 000007